(57)【要約】【課題】強度に優れ、撓まずに安定して洗い場パンを載置することができるとともに、下地の点検等も行えるユニットバスの床構造を提供する。【解決手段】長方形状のフレーム部１と洗い場パン２と浴槽パン３とからなり、上記フレーム部１は上記洗い場パン２と略同じ大きさの洗い場パン載置部１２と上記浴槽パン３と略同じ大きさの浴槽パン載置部１３とに区画されるとともに、上記洗い場パン載置部１２には互いに直交する桟部１２１が架設され、格子状とされたことを特徴とするユニットバスの床構造Ａ。【選択図】図１
2006169805.tif 000002
【特許請求の範囲】
【請求項１】
長方形状のフレーム部と洗い場パンと浴槽パンとからなり、上記フレーム部は上記洗い場パンと略同じ大きさの洗い場パン載置部と上記浴槽パンと略同じ大きさの浴槽パン載置部とに区画されるとともに、上記洗い場パン載置部には互いに直交する桟部が架設され、格子状とされたことを特徴とするユニットバスの床構造。
【請求項２】
上記洗い場パンには洗い場パン載置部の枠部に掛止するフランジ部が延設されるとともに、上記浴槽パンには浴槽パン載置部の枠部に掛止するフランジ部が延設された請求項１に記載のユニットバスの床構造。
【請求項３】
フレーム部の下部には複数本の高さ調整ボルトが垂設された請求項１に記載のユニットバスの床構造。
【発明の詳細な説明】
【技術分野】
【０００１】
本発明は、浴室の床構造に関する。さらに詳しくは、ユニットバスの床構造に関する。
【背景技術】
【０００２】
マンション、一戸建て住宅等に設置されたユニットバスが経年劣化するに伴い、近年上記ユニットバスのリフォーム市場が拡大している。リフォームする場合、新設されるユニットバスには、機能性、デザイン性のみならず、リフォーム作業を容易に、かつ、効率的に行えることも求められており、これらに関して種々の技術が提案されている。
【特許文献１】特開２００３−１９３５２７号公報（第１−３頁、第１図、第６図）
【発明の開示】
【発明が解決しようとする課題】
【０００３】
例えば、特許文献１には、その第１図、第６図から明らかなように、洗い場パンと浴槽パンと補強フレームとからなるとともに、上記補強フレームの上に洗い場パンを載置し、この補強フレームと浴槽パンとを接続する技術が開示されている。しかしながら、上記補強フレームが枠体とされているため、洗い場に入浴者が出入りするとき、その下方に位置する洗い場パンの、とくに中央部に繰り返し荷重が掛かり、構造的に好ましくない影響を与えるとともに、中央部が撓んで入浴者に不快感を与えるという問題がある。本発明は、このような問題を解決して、リフォームのみならず、新しくユニットバスを設置する場合においても、強度的に優れるとともに、撓まずに安定して洗い場パンを載置することのできるユニットバスの床構造を提供することをその課題とする。
【課題を解決するための手段】
【０００４】
上記課題を解決するために、本発明においては、つぎのような技術的手段を講じている。すなわち、本発明によれば、長方形状のフレーム部と洗い場パンと浴槽パンとからなり、上記フレーム部は上記洗い場パンと略同じ大きさの洗い場パン載置部と上記浴槽パンと略同じ大きさの浴槽パン載置部とに区画されるとともに、上記フレーム部の洗い場パン載置部には互いに直交する桟部が架設され、格子状とされたことを特徴とするユニットバスの床構造が提供される。
【０００５】
上記洗い場パンには洗い場パン載置部の枠部に掛止するフランジ部が延設されるとともに、上記浴槽パンには浴槽パン載置部の枠部に掛止するフランジ部が延設されることが好ましい。
【０００６】
また、フレーム部の下部には複数本の高さ調整ボルトを垂設することが好ましい。例えば、上記フレーム部の四隅および洗い場パン載置部と浴槽載置部とを区画する仕切り部の下部に垂設することが好ましい。
【発明の効果】
【０００７】
請求項１に記載の発明は上記のとおりであり、フレーム部の洗い場パン載置部には互いに直交する桟部が架設され、格子状とされているため、繰り返し荷重が加えられても桟部が洗い場パンをしっかりと支持するとともに、洗い場パン載置部自体が剛構造となり、中央部が撓んで入浴者に不快感を与えるという問題を解消することができる。また、洗い場パンを載置する前に桟部の間から下地の点検が可能であり、排水系統の接続等も容易に行うことができる。
【０００８】
上記洗い場パンにはフランジ部が延設され、このフランジ部が洗い場パン載置部の枠部にしっかりと掛止するため、洗い場自体が安定して支持される。また、上記浴槽パンにはフランジ部が延設され、このフランジ部が浴槽パン載置部の枠部にしっかりと掛止するため、浴槽を安定して据え付けることができる。
【０００９】
また、フレーム部の下部には複数本の高さ調整ボルトが垂設されるため、ユニットバスを設置する際の高さ調整が容易となり、例えば、浴槽の排水口と排水トラップとの接続を行う際の位置調整を容易に行うことができる。
【発明を実施するための最良の形態】
【００１０】
以下、本発明の実施形態について図面を参照して、詳細に説明する。図１は、本発明にかかるユニットバスの床構造Ａを示す分解斜視図である。図１からよくわかるように、上記ユニットバスの床構造Ａは、長方形状のフレーム部１と洗い場パン２と浴槽パン３とからなり、上記フレーム部１には仕切り部１１が設けられるとともに、この仕切り部１１によって、洗い場パン載置部１２と浴槽パン載置部１３とに区画されている。さらに、上記洗い場パン載置部１２には、互いに直交する桟部１２１が架設され、この桟部１２１によって洗い場パン載置部１２は補強され、強度の優れた格子状となる。また、フレーム部１の四隅および仕切り部１１の下部には高さ調整ボルト４が垂設されている。
【００１１】
一方、上記洗い場パン２にはフランジ部２１が延設されるとともに、このフランジ部２１が洗い場パン載置部１２の枠部にしっかりと掛止する。同様に、上記浴槽パン３にもフランジ部３１が延設されるとともに、このフランジ部３１が浴槽パン載置部１３の枠部にしっかりと掛止する。
【００１２】
図２は上記のように構成されたユニットバスの床構造Ａに洗い場Ｂを取り付け、浴槽Ｃを据え付けた状態を示す状態を示す側断面図である。図２から、洗い場Ｂに入浴者が出入りして繰り返し荷重が加えられても、洗い場パン２を桟部１２１がしっかりと支持するとともに、上記洗い場パン載置部１２が剛構造となり、中央部が撓んで入浴者に不快感を与えるという問題を解消することができる。また、洗い場パンを載置する前に桟部１２１の間から下地の点検や排水系統の接続等を容易に行うことができる。
【図面の簡単な説明】
【００１３】
【図１】本発明にかかるユニットバスの床構造を示す分解斜視図である。
【図２】上記床構造に洗い場を取り付け、浴槽を据え付けた状態を示す側断面図である。
【符号の説明】
【００１４】
Ａ          本発明にかかるユニットバスの床構造
Ｂ          洗い場
Ｃ          浴槽
１          フレーム部
１１        仕切り部
１２        洗い場パン載置部
１２１      桟部
１３        浴槽パン載置部
２          洗い場パン
２１        フランジ部
３          浴槽パン
３１        フランジ部
４          高さ調整ボルト
【図１】
2006169805.tif 000003
【図２】
2006169805.tif 000004